(57)【要約】【課題】遮蔽部のメンテナンスを容易に行うことができる。【解決手段】自動処理装置１の遮蔽ユニット１０は、表示装置の画面３を前面２に表出して表示装置を収納する、前面２と側壁７と上面８と背面とを有する筐体と、筐体の側壁７のおもて面に設けられたガイド部２０と、ガイド部２０に前面２側から後方側に案内され、画面３を側部から遮蔽する、所定位置に配置された遮蔽部５０と、を具備する。遮蔽ユニット１０では、遮蔽部５０をガイド部２０に対して、前面２側から後方側に案内するようにしてガイド部２０に収納し、また、遮蔽部５０を後方側から前面２側にガイド部２０から引き抜くようにして取り出すことができる。【選択図】図１
2018124691.tif 000002
【特許請求の範囲】
【請求項１】
表示装置と、
前記表示装置の画面を前面に表出して前記表示装置を収納する筐体と、
前記筐体の側壁のおもて面に設けられたガイド部と、前記ガイド部に前記前面側から後方側に案内され、前記画面を側部から遮蔽する所定位置に配置された遮蔽部と、を具備する遮蔽ユニットと、
を有する自動処理装置。
【請求項２】
前記ガイド部は、前記遮蔽部をスライドさせて前記所定位置に案内する一対の枠部材を有する請求項１に記載の自動処理装置。
【請求項３】
前記ガイド部は、前記一対の枠部材を覆い、前記遮蔽部が収納される収納領域を構成する上蓋板をさらに有する請求項２に記載の自動処理装置。
【請求項４】
前記遮蔽部は前記ガイド部に案内される先端側に切り欠き部が形成されており、
前記ガイド部は、前記遮蔽部を前記所定位置に案内すると、前記切り欠き部の間に入り込み、前記側壁にねじ止めされるねじボスが前記上蓋板の内側に形成されている、
請求項３に記載の自動処理装置。
【請求項５】
前記遮蔽部は、前記先端部の中心部に前記切り欠き部が形成されており、
前記ねじボスは前記切り欠き部に対応して前記上蓋板に形成されている、
請求項４に記載の自動処理装置。
【請求項６】
前記遮蔽部は前記側壁側に凹部が形成されており、
前記ガイド部は、案内した前記遮蔽部の前記凹部が嵌合する凸部が前記おもて面に形成されている、
請求項４に記載の自動処理装置。
【発明の詳細な説明】
【技術分野】
【０００１】
本発明は、自動処理装置に関する。
【背景技術】
【０００２】
近年、自動券売機、自動証明書交付機、現金自動預け払い機（ＡＴＭ：Automated Teller Machine）等の自動処理装置が様々な場所に設置されるようになっている。
また、複数の自動処理装置が並列に設置されることがある。この場合には、並列に複数配置された自動処理装置間のユーザ同士のプライバシーを確保するために、自動処理装置間に仕切り板（遮蔽部）が設けられている（例えば、特許文献１参照）。
【先行技術文献】
【特許文献】
【０００３】
【特許文献１】特開２００８−０２７１６７号公報
【発明の概要】
【発明が解決しようとする課題】
【０００４】
しかし、複数の自動処理装置が設置される場合には、設置領域が限られることが多い。このため、破損等を受けた遮蔽部を取り替える等のメンテナンスを要する場合には、自動処理装置の側部に作業スペースを取ることができず、遮蔽部のメンテナンスを十分に行うことができないという問題点があった。
【０００５】
また、作業スペースを確保するために、自動処理装置を動かすことが考えられる。しかし、自動処理装置は動かすには重すぎて、作業の負担が更に増加してしまうという問題点がある。
【０００６】
本発明は、このような点に鑑みてなされたものであり、遮蔽部のメンテナンスを容易に行うことができる自動処理装置を提供することを目的とする。
【課題を解決するための手段】
【０００７】
本発明の一観点によれば、表示装置と、前記表示装置の画面を前面に表出して前記表示装置を収納する筐体と、前記筐体の側壁のおもて面に設けられたガイド部と、前記ガイド部に前記前面側から後方側に案内され、前記画面を側部から遮蔽する所定位置に配置された遮蔽部と、を具備する遮蔽ユニットと、を有する自動処理装置が提供される。
【発明の効果】
【０００８】
開示の技術によれば、遮蔽部の取り付け、取り外しを容易にして、遮蔽部のメンテナンスを容易に行うことができる。
【図面の簡単な説明】
【０００９】
【図１】実施の形態の自動処理装置の斜視図である。
【図２】実施の形態の自動処理装置のガイド部を説明する図である。
【図３】実施の形態の自動処理装置に対する下側固定部の取り付けを説明する図である。
【図４】実施の形態の自動処理装置のガイド部の下側固定部を説明する図である。
【図５】実施の形態の自動処理装置のガイド部の上蓋部を説明する図である。
【図６】実施の形態の自動処理装置の遮蔽板を説明する図である。
【図７】実施の形態の自動処理装置のガイド部に対する遮蔽部の取り付けを説明する図である。
【図８】実施の形態の自動処理装置の収納ユニットに対するねじ止めを説明する図（その１）である。
【図９】実施の形態の自動処理装置の収納ユニットに対するねじ止めを説明する図（その２）である。
【図１０】従来の自動処理装置の斜視図である。
【図１１】従来の自動処理装置の遮蔽ユニットの下側固定部を説明する図である。
【図１２】従来の自動処理装置の遮蔽ユニットの遮蔽部を説明する図である。
【図１３】従来の自動処理装置の遮蔽ユニットの上面部を説明する図である。
【図１４】従来の自動処理装置の遮蔽ユニットの取り付けを説明する図である。
【発明を実施するための形態】
【００１０】
以下、図面を参照して、実施の形態について説明する。
［実施の形態］
実施の形態の自動処理装置について、図１を用いて説明する。
【００１１】
図１は、実施の形態の自動処理装置の斜視図である。
なお、本実施の形態では、自動処理装置としてＡＴＭの場合を例示して説明するが、後述する遮蔽ユニットは、ＡＴＭに限らず、自動券売機、自動証明書交付機等の装置にも適用することができる。
【００１２】
自動処理装置１は、前面２と一対の側壁７と上面８と背面（図示を省略）とを有する筐体と、筐体内に、全体を制御する制御ユニット、カード処理ユニット、通帳処理ユニット、硬貨処理ユニット、通帳処理ユニット、表示装置（以上、図示を省略）が収納されている。さらに、自動処理装置１の一対の側壁７の所定位置には遮蔽ユニット１０がそれぞれ取り付けられている。
【００１３】
自動処理装置１は、前面２には、表示装置が備える画面３と、カード処理ユニットが備えるカード挿入／排出口４が設けられている。
さらに、前面２には、紙幣処理ユニットが備える紙幣入出金口５と、制御ユニットに接続されるテンキー６とが設けられている。
【００１４】
そして、遮蔽ユニット１０は、ガイド部２０と、ガイド部２０に一部が収納された遮蔽部５０と、を有している。遮蔽ユニット１０は、自動処理装置１の側部から画面３をそれぞれ遮蔽して、側部からの覗き込み等を防止して、ユーザのプライバシーを確保することができる。なお、図１に示す遮蔽ユニット１０は、この場合に限らず、必要に応じて、遮蔽ユニット１０を、例えば、上面８に取り付けて、上部から画面３を遮蔽することも可能である。
【００１５】
このような遮蔽ユニット１０の詳細について説明する。
まず、遮蔽ユニット１０のガイド部２０について図２及び図３を用いて説明する。
図２は、実施の形態の自動処理装置のガイド部を説明する図である。
【００１６】
なお、図２（Ａ）は、自動処理装置１の側壁７に取り付けられたガイド部２０の平面図を、図２（Ｂ）は、図２（Ａ）における一点鎖線Ｚ−Ｚにおける断面図をそれぞれ表している。
【００１７】
また、図３は、実施の形態の自動処理装置に対する遮蔽ユニットの取り付けを説明する図である。
ガイド部２０は、下側固定部３０と上蓋部４０とが合わさって、間には開口部２３に通じる収納領域２２が構成されている。
【００１８】
このようなガイド部２０は、開口部２３から遮蔽部５０が挿入されて、遮蔽部５０を内部に案内することができる。
また、遮蔽ユニット１０は、遮蔽部５０が、図３に示されるように、自動処理装置１の側壁７の内側からねじ９ｅによりねじ止めされることで、側壁７に固定されている。なお、図３では、下側固定部３０が複数の皿ねじ９ａ，９ｂ，９ｃ，９ｄで固定されているところを表示している。
【００１９】
このような下側固定部３０と上蓋部４０との詳細について以下に説明する。
まず、下側固定部３０について図４を用いて説明する。
図４は、実施の形態の自動処理装置のガイド部の下側固定部を説明する図である。
【００２０】
なお、図４（Ａ）は、下側固定部３０の平面図を、図４（Ｂ）は、図４（Ａ）の一点鎖線Ｚ１−Ｚ１における断面図を、図４（Ｃ）は、図４（Ａ）の一点鎖線Ｚ２−Ｚ２における拡大断面図をそれぞれ表している。
【００２１】
下側固定部３０は、金属板により構成されており、板部材３１と、板部材３１の図４（Ａ）中上側に設けられた枠部材３２と、板部材３１の図４（Ａ）中右側に枠部材３２と一体的に設けられた枠部材３３と、板部材３１の図４（Ａ）中下側に設けられた枠部材３４と、を有している。なお、板部材３１の図４（Ａ）中右下領域の角部には枠部材は設けられていない。
【００２２】
板部材３１は、自動処理装置１の側壁７に固定する皿ねじ９ａ，９ｂ，９ｃ，９ｄの頭部が平らになる厚さである。また、ガイド部２０の軽量化のためにも、下側固定部３０は、例えば、アルミニウムにより構成されている。
【００２３】
また、板部材３１は、図４（Ａ）に示されるように、固定ねじ孔３５ａ〜３５ｅと、抜け防止凸部用の孔３６と、軽量化対応孔３７ａ，３７ｂと、取り付けねじ孔３８ａ，３８ｂとが形成されている。
【００２４】
固定ねじ孔３５ａ〜３５ｄは、自動処理装置１の側壁７に下側固定部３０を固定するために用いられる皿ねじ９ａ，９ｂ，９ｃ，９ｄが螺合される。固定ねじ孔３５ａ〜３５ｄは皿ねじ９ａ，９ｂ，９ｃ，９ｄに対応する形状を成している。例えば、固定ねじ孔３５ｂは、図４（Ｃ）に示されるように、破線で示す皿ねじ９ｂが取り付けられると、板部材３１の主面と皿ねじ９ｂの頭部とが平らになるように、皿穴の形状を成している。なお、このような皿ねじ９ａ，９ｃ，９ｄが螺合される固定ねじ孔３５ａ，３５ｃ，３５ｄも、固定ねじ孔３５ｂと同様の形状を成している。このため、後述するように、遮蔽部５０をガイド部２０に収納する際に、遮蔽部５０は皿ねじ９ａ，９ｂ，９ｃ，９ｄに引っかかることなく円滑にガイド部２０に収納される。
【００２５】
固定ねじ孔３５ｅは、後述する上蓋部４０のねじボス４４が嵌合される。固定ねじ孔３５ｅは、当該ねじボス４４の形成位置に対応して、板部材３１に形成される。
抜け防止凸部用の孔３６は、自動処理装置１の側壁７の内側からねじの先端部で凸状が形成されるものであり、後述する遮蔽部５０の抜け防止凹部５３ａ，５３ｂ，５３ｃ，５３ｄ，５３ｅ，５３ｆ，５３ｇ，５３ｈに嵌合する大きさである。
【００２６】
軽量化対応孔３７ａ，３７ｂは、例えば、図４（Ａ）に示されるように板部材３１に形成されている。これにより、下側固定部３０の軽量化を図ることができる。なお、軽量化対応孔３７ａ，３７ｂの形状は円形に限らず、また、２つに限らず、１つ、または３つ以上であってもよい。また、軽量化対応孔３７ａ，３７ｂの大きさは、下側固定部３０の強度が低下しない程度であることを要する。
【００２７】
取り付けねじ孔３８ａ，３８ｂは、後述するように、上蓋部４０を下側固定部３０に取り付ける際のねじが螺合される。
次に、上蓋部４０について図５を用いて説明する。
【００２８】
図５は、実施の形態の自動処理装置のガイド部の上蓋部を説明する図である。
なお、図５（Ａ）は、上蓋部４０の平面図を、図５（Ｂ）は、図５（Ａ）の一点鎖線Ｚ−Ｚにおける断面図をそれぞれ表している。
【００２９】
上蓋部４０は、下側固定部３０と同様に、金属板により構成されており、厚さは、１．０ｍｍ以上、３．２ｍｍ以下である。また、ガイド部２０の軽量化のためにも、上蓋部４０は、例えば、アルミニウムにより構成されている。
【００３０】
このような構成を有する上蓋部４０は、板部材４１と、板部材４１の図５（Ａ）中の上側に設けられた枠部材４２と、板部材４１の図５（Ａ）中の下側に設けられた枠部材４３と、を有している。
【００３１】
板部材４１は、下側固定部３０の板部材３１と同じ形状を成しており、図５（Ａ）に示されるように、取り付けねじ孔４５ａ，４５ｂと、ねじボス４４と、が形成されている。
取り付けねじ孔４５ａ，４５ｂは、上蓋部４０を下側固定部３０に取り付けると、下側固定部３０の取り付けねじ孔３８ａ，３８ｂに位置を合わせられ、ねじ（図示を省略）が取り付けねじ孔３８ａ，３８ｂと共に螺合される。これにより、下側固定部３０に上蓋部４０が取り付けられる。
【００３２】
ねじボス４４は、例えば、上蓋部４０と同様の材質により構成されており、高さは、遮蔽板５１の厚みよりも、例えば０．５ｍｍ以上、１．０ｍｍ以下低い円筒状を成している。ねじボス４４は、図５（Ａ）に示されるように、板部材４１の上下方向の中間に取り付けられている。
【００３３】
このような構成を備えるガイド部２０は、自動処理装置１の側壁７に取り付けられた下側固定部３０に上蓋部４０を取り付けることで、下側固定部３０の板部材３１と枠部材３２，３３，３４と共に、上蓋部４０の板部材４１と枠部材４２，４３とで囲まれて、開口部２３を備える収納領域２２が構成される。
【００３４】
次に、遮蔽部５０について、図６を用いて説明する。
図６は、実施の形態の自動処理装置の遮蔽部を説明する図である。
なお、図６（Ａ）は、遮蔽部５０の平面図であり、図６（Ｂ）は、図６（Ａ）の一点鎖線Ｚ−Ｚにおける断面図である。
【００３５】
遮蔽部５０は、遮蔽板５１と、遮蔽板５１に形成される切り欠き部５２と、遮蔽板５１に形成される抜け防止凹部５３ａ，５３ｂ，５３ｃ，５３ｄ，５３ｅ，５３ｆ，５３ｇ，５３ｈとが形成されている。
【００３６】
遮蔽板５１は、例えば、アクリル樹脂等で構成された板状の部材である。なお、図６（Ａ）に示す遮蔽板５１の平面形状は一例である。遮蔽板５１の形状は、ガイド部２０の開口部２３に先端部５４側が挿入可能であれば、方形状でも、その他の形状であっても構わない。
【００３７】
切り欠き部５２は、遮蔽板５１の図６（Ａ）の先端部５４の中央部から遮蔽板５１の内側に垂直に切り込むように形成されている。また、切り欠き部５２の幅は、ねじボス４４が入り込める幅であって、ねじボス４４の直径程度である。
【００３８】
抜け防止凹部５３ａ，５３ｂ，５３ｃ，５３ｄ，５３ｅ，５３ｆ，５３ｇ，５３ｈは、遮蔽部５０をガイド部２０に収納した際に、下側固定部３０の抜け防止凸部用の孔３６に対応する位置の遮蔽板５１に形成されている。なお、抜け防止凹部５３ａ，５３ｂ，５３ｃ，５３ｄ，５３ｅ，５３ｆ，５３ｇ，５３ｈは、抜け防止凸部用の孔３６が嵌合するのであれば、遮蔽板５１に対して凹部であっても、開口孔であっても構わない。
【００３９】
次に、このような遮蔽部５０及びガイド部２０を有する遮蔽ユニット１０の自動処理装置１に対する取り付けについて図２，３，６並びに図７を用いて説明する。
図７は、実施の形態の自動処理装置のガイド部に対する遮蔽部の取り付けを説明する図である。
【００４０】
なお、図７（Ａ）は、ガイド部２０に対して遮蔽部５０の取り付け途中を、図７（Ｂ）は、ガイド部２０に対して遮蔽部５０が取り付けられた場合をそれぞれ表している。
まず、自動処理装置１の側壁７の所定箇所に下側固定部３０を位置合わせして、自動処理装置１の外側から固定ねじ孔３５ａ〜３５ｄに皿ねじ９ａ，９ｂ，９ｃ，９ｄを螺合する。これにより、自動処理装置１の側壁７に下側固定部３０を固定する。
【００４１】
次いで、自動処理装置１の側壁７に固定された下側固定部３０の取り付けねじ孔３８ａ，３８ｂに上蓋部４０の取り付けねじ孔４５ａ，４５ｂを位置合わせして、ねじ２１ａ，２１ｂで取り付けねじ孔３８ａ，３８ｂ，４５ａ，４５ｂを螺合する。
【００４２】
これにより、下側固定部３０に上蓋部４０を取り付けることができ、図２に示されるガイド部２０が得られる。
次いで、遮蔽部５０を先端部５４側からガイド部２０の開口部２３に挿入して、ガイド部２０の内部（矢印方向）に移動させると、図７（Ａ）に示されるように、ガイド部２０のねじボス４４が遮蔽部５０の切り欠き部５２に入り込む。この際、遮蔽部５０は、ねじボス４４が切り欠き部５２に入り込むことで、安定してガイド部２０に挿入される。また、この際、自動処理装置１の内側から嵌合したねじ９ｅの先端部は遮蔽板５１から退避状態となっている。遮蔽板５１の移動を規制したい場合は、ねじ９ｅを嵌合させる。
【００４３】
遮蔽部５０をさらにガイド部２０の内部に移動させると、図７（Ｂ）に示されるように、遮蔽部５０の先端部５４がガイド部２０の奥部（下側固定部３０の枠部材３３）に当接して、遮蔽部５０のガイド部２０への収納が完了する。
【００４４】
なお、この際、抜け防止凸部用の孔３６は、例えば、遮蔽部５０に形成されている抜け防止凹部５３ａ，５３ｂ，５３ｃ，５３ｄ，５３ｅ，５３ｆ，５３ｇ，５３ｈのうち最外部（先端部５４に対して反対側）の抜け防止凹部５３ａに対応している。
【００４５】
また、ガイド部２０は、遮蔽部５０を図７（Ｂ）に示した箇所に案内するものである。このため、ガイド部２０は、少なくとも、下側固定部３０を有している必要がある。遮蔽部５０は、下側固定部３０の枠部材３２，３４により挟持されて枠部材３２，３４に沿ってガイド部２０の奥側（枠部材３３）にスライドされて所定位置に配置される。
【００４６】
このようなガイド部２０は、さらに、上蓋部４０が取り付けられることで、遮蔽部５０を安定して確実に所定位置に案内することができ、また、後述するように、ねじボス４４を用いて上蓋部４０で遮蔽部５０をガイド部２０で挟持して固定することができる。
【００４７】
次に、ガイド部２０に遮蔽部５０を収納した後のねじボス４４の締め付けについて図８及び図９を用いて説明する。
図８及び図９は、実施の形態の自動処理装置の収納ユニットに対するねじ止めを説明する図である。
【００４８】
なお、図８及び図９は、図７（Ｂ）の一点鎖線Ｚ−Ｚにおける断面箇所を拡大して表している。
図８によれば、自動処理装置１の側壁７に固定されている下側固定部３０の板部材３１の固定ねじ孔３５ｅに上蓋部４０の板部材４１のねじボス４４が嵌合している。さらに、遮蔽部５０の遮蔽板５１が板部材３１，４１の間に挟持されていると共に、遮蔽板５１の切り欠き部５２にねじボス４４が入り込んでいる。
【００４９】
この状態において、自動処理装置１の内側から嵌合したねじ９ｅをねじボス４４に螺合して、締結させる。
これにより、遮蔽部５０の遮蔽板５１が、側壁７に固定された下側固定部３０の板部材３１と上蓋部４０の板部材４１との間で挟持されることで、遮蔽部５０がガイド部２０に固定される。この際、特に、ねじボス４４は、上蓋部４０の上下方向の中心部に配置されているために、ねじボス４４にねじを締結することで、遮蔽部５０を安定して固定することができる。
【００５０】
このようにガイド部２０に収納された遮蔽部５０が固定されて、ガイド部２０と遮蔽部５０とを有する遮蔽ユニット１０が構成される。
なお、このような遮蔽ユニット１０では、図９に示されるように、上蓋部４０の板部材４１のねじボス４４の周りに、例えば、ゴム等で構成される板状の弾性体６０を配置することができる。
【００５１】
このような弾性体６０を配置することで、遮蔽ユニット１０では、ガイド部２０に対して遮蔽部５０の位置ずれが防止されて、遮蔽部５０がガイド部２０により強固に固定されるようになる。
【００５２】
また、このような遮蔽ユニット１０では、ねじボス４４に対するねじ９ｅの締結を緩めた状態で、ガイド部２０に対して遮蔽部５０を引き出す長さを調節することができる。この場合、遮蔽部５０を抜け防止凹部５３ａ，５３ｂ，５３ｃ，５３ｄ，５３ｅ，５３ｆ，５３ｇ，５３ｈごとに引き出して、それぞれの抜け防止凹部５３ａ，５３ｂ，５３ｃ，５３ｄ，５３ｅ，５３ｆ，５３ｇ，５３ｈに抜け防止凸部用の孔３６からねじ９ｆの先端部が嵌合した状態で、ねじボス４４に対してねじ９ｅで締結して固定する。これにより、遮蔽ユニット１０において、遮蔽部５０の抜け防止凹部５３ａ，５３ｂ，５３ｃ，５３ｄ，５３ｅ，５３ｆ，５３ｇ，５３ｈの位置に応じて、遮蔽部５０のガイド部２０からの引き出す長さを調整することができる。
【００５３】
ここで、上記の自動処理装置１に対する従来の自動処理装置について図１０を用いて説明する。
図１０は、従来の自動処理装置の斜視図である。
【００５４】
なお、図１０に示す自動処理装置１ａは、自動処理装置１と同じ構成のものには同じ符号を付して、説明は省略する。
自動処理装置１ａは、その両側の側壁７に、遮蔽ユニット１００が取り付けられている。
【００５５】
遮蔽ユニット１００は、後述するように、側壁７側から、下側固定部、遮蔽部、上面部が積層して構成されている。
以下、遮蔽ユニット１００について説明する。
【００５６】
まず、遮蔽ユニット１００の下側固定部について、図１１を用いて説明する。
図１１は、従来の自動処理装置の遮蔽ユニットの下側固定部を説明する図である。
なお、図１１（Ａ）は、下側固定部１１０の平面図を、図１１（Ｂ）は、図１１（Ａ）における一点鎖線Ｚ−Ｚにおける断面図をそれぞれ表している。
【００５７】
下側固定部１１０は、板部材１１１を有し、板部材１１１の図１１（Ａ）中の下側に枠部材１１３が設けられている。また、板部材１１１に固定ねじ孔１１４ａ，１１４ｂ，１１４ｃ，１１４ｄと、取り付けねじ孔１１５ａ，１１５ｂ，１１５ｃとがそれぞれ形成されている。
【００５８】
板部材１１１は、例えば、金属板により構成されており、厚さは、１．０ｍｍ以上、３．２ｍｍ以下である。
固定ねじ孔１１４ａ，１１４ｂ，１１４ｃ，１１４ｄは、自動処理装置１ａの側壁７の所定位置にねじで締結されて、板部材１１１を側壁７に固定する。
【００５９】
取り付けねじ孔１１５ａ，１１５ｂ，１１５ｃは、後述するように、下側固定部１１０に対して、遮蔽部１２０及び上面部１３０を積層して、これらを下側固定部１１０にねじ止めする際に用いられる。
【００６０】
次に、遮蔽ユニット１００の遮蔽部１２０について、図１２を用いて説明する。
図１２は、従来の自動処理装置の遮蔽ユニットの遮蔽部を説明する図である。
なお、図１２（Ａ）は、遮蔽部１２０の平面図、図１２（Ｂ）は、図１２（Ａ）の一点鎖線Ｚ−Ｚにおける断面図をそれぞれ表している。
【００６１】
遮蔽部１２０は、遮蔽板１２１を有し、遮蔽板１２１に固定ねじ孔１２２ａ，１２２ｂ，１２２ｃ，１２２ｄと、取り付けねじ孔１２３ａ，１２３ｂ，１２３ｃとが形成されている。
【００６２】
遮蔽板１２１は、例えば、樹脂板により構成されており、厚さは、３．０ｍｍ以上、１０．０ｍｍ以下である。
固定ねじ孔１２２ａ，１２２ｂ，１２２ｃ，１２２ｄは、自動処理装置１ａの側壁７の所定位置に取り付けられた板部材１１１に遮蔽板１２１が重ね合わされた際に、板部材１１１を側壁７に対して締結するねじの頭部が収納される。
【００６３】
取り付け孔１２３ａ，１２３ｂ，１２３ｃは、下側固定部１１０に対して、遮蔽部１２０及び上面部１３０を積層して、これらを下側固定部１１０にねじ止めする際のねじに螺合される。
【００６４】
次に、遮蔽ユニット１００の上面部１３０について、図１３を用いて説明する。
図１３は、従来の自動処理装置の遮蔽ユニットの上面部を説明する図である。
なお、図１３（Ａ）は、上面部１３０の正面図、図１３（Ｂ）は、図１３（Ａ）の一点鎖線Ｚ−Ｚにおける断面図をそれぞれ表している。
【００６５】
上面部１３０は、板部材１３１を有し、板部材１３１の図１３（Ａ）中の上部に枠部材１３２と、板部材１３１に取り付けねじ孔１３３ａ，１３３ｂ，１３３ｃとがそれぞれ形成されている。
【００６６】
板部材１３１は、例えば、金属板により構成されており、厚さは、１．０ｍｍ以上、３．２ｍｍ以下である。
枠部材１３２は、板部材１３１と同じ材質であって、その断面がＬ字状である。後述するように、上面部１３０を下側固定部１１０、遮蔽部１２０に重ね合わせる際に、枠部材１３２を遮蔽部１２０に係合させる。
【００６７】
取り付け孔１２３ａ，１２３ｂ，１２３ｃは、後述するように、下側固定部１１０に対して、遮蔽部１２０及び上面部１３０を積層して、これらを下側固定部１１０にねじ止めする際のねじが螺合される。
【００６８】
次に、このような下側固定部１１０、遮蔽部１２０、上面部１３０を有する遮蔽ユニット１００の取り付け方法について、図１４を用いて説明する。
図１４は、参考例の自動処理装置の遮蔽ユニットの取り付けを説明する図である。
【００６９】
まず、自動処理装置１ａの側壁７の所定箇所に下側固定部１１０を位置合わせして、固定ねじ孔１１４ａ〜１１４ｄにねじ（図示を省略）を螺合して締結する。これにより、自動処理装置１ａの側壁７に下側固定部１１０を取り付ける。
【００７０】
次いで、自動処理装置１ａの側壁７に固定された下側固定部１１０に、遮蔽部１２０及び上面部１３０を順に積層して配置する。この際、上面部１３０の枠部材１３２を遮蔽部１２０の上部に係合する。また、下側固定部１１０の取り付けねじ孔１１５ａ，１１５ｂ，１１５ｃに対して、遮蔽部１２０の取り付けねじ孔１２３ａ，１２３ｂ，１２３ｃと上面部１３０の取り付けねじ孔１３３ａ，１３３ｂ，１３３ｃとをそれぞれ位置合わせする。
【００７１】
取り付けねじ孔１１５ａ，１１５ｂ，１１５ｃと取り付けねじ孔１２３ａ，１２３ｂ，１２３ｃとに位置合わせした取り付けねじ孔１３３ａ，１３３ｂ，１３３ｃにねじ（図示を省略）を螺合して締結する。
【００７２】
これにより、図１０に示した遮蔽ユニット１００が自動処理装置１ａの両側の側壁７にそれぞれ取り付けられる。
このような自動処理装置１ａの遮蔽ユニット１００において、例えば、損傷を受けた遮蔽部１２０を取り替える場合には、遮蔽ユニット１００は図１４で説明したようにねじで締結されているために、ねじを緩めて、上面部１３０及び遮蔽部１２０を順に下側固定部１１０から取り外す必要がある。この作業を行うためには、自動処理装置１ａの側壁７の側部に作業スペースを必要とする。このため、自動処理装置１ａを複数設置する場合には、自動処理装置１ａの間に間隔を空けなくてはならない。しかし、設置領域が限られている場合等には、複数の自動処理装置１ａの間に隙間を空けずに、自動処理装置１ａを詰めて設置するために、自動処理装置１ａの側壁７の側部に作業スペースを設けることができない場合がある。また、複数の自動処理装置１ａを間隔を空けずに詰めて設置した場合に、遮蔽ユニット１００のメンテナンスを行うための作業スペースを作るために、自動処理装置１ａを移動しようとしても、自動処理装置１ａは重量があるために、容易に移動させることができない。
【００７３】
また、自動処理装置１ａでは、遮蔽ユニット１００を取り付ける場合には、図１４で説明したように、遮蔽部１２０と、上面部１３０とを重ね合わせて、ねじ止めしている。このため、取り付け作業には、一方の作業員が支えながら、他方の作業員がねじ止めを行う必要があり、一人で作業を行うことができず、取り付け作業が煩雑であった。
【００７４】
さらに、自動処理装置１ａの遮蔽ユニット１００は、取り付けのためのねじの頭部がむき出しとなっていることから、ねじの頭部に引っかかってしまう等の危険性がある。また、ねじの頭部がむき出しとなっていることから、審美性が良くない。
【００７５】
一方、自動処理装置１の遮蔽ユニット１０は、表示装置の画面３を前面２に表出して表示装置を収納する筐体の側壁７のおもて面（外側の面）に設けられたガイド部２０と、ガイド部２０に前面２側から後方側に案内され、画面３を側部から遮蔽する、所定位置に配置された遮蔽部５０と、を具備する。
【００７６】
このような遮蔽ユニット１０では、遮蔽部５０をガイド部２０に対して、前面２側から後方側に案内するようにしてガイド部２０に収納し、また、遮蔽部５０を後方側から前面２側にガイド部２０から引き抜くようにして取り出すことができる。このため、自動処理装置１は、遮蔽部５０の取り換え作業を行うにあたって、自動処理装置１の側壁７の側部に作業スペースを必要としない。したがって、設置領域が限られる場合でも自動処理装置１の遮蔽ユニット１０のメンテナンスを容易に行うことができるようになる。
【００７７】
また、遮蔽ユニット１０は、図７で説明したように、下側固定部３０を先に取り付けた後で、下側固定部３０に対して上蓋部４０を取り付けて、ガイド部２０に対して遮蔽部５０を挿入して構成される。このような作業は一人でも行うことができる。
【００７８】
さらに、遮蔽ユニット１０は、外部に表出するようなねじがないため、ねじによる危害を与えるおそれが低下し、審美性が向上する。
【符号の説明】
【００７９】
１  自動処理装置
２  前面
３  画面
４  カード挿入／排出口
５  紙幣入出金口
６  テンキー
７  側壁
８  上面
９ａ，９ｂ，９ｃ，９ｄ  皿ねじ
９ｅ，９ｆ  ねじ
１０  遮蔽ユニット
２０  ガイド部
３０  下側固定部
３１，４１  板部材
３２，３３，３４，４２，４３  枠部材
３５ａ，３５ｂ，３５ｃ，３５ｄ，３５ｅ  固定ねじ孔
３６  孔
３７ａ，３７ｂ  軽量化対応孔
３８ａ，３８ｂ，４５ａ，４５ｂ  取り付けねじ孔
４０  上蓋部
５０  遮蔽部
５１  遮蔽板
５２  切り欠き部
５３ａ，５３ｂ，５３ｃ，５３ｄ，５３ｅ，５３ｆ，５３ｇ，５３ｈ  抜け防止凹部
【図１】
2018124691.tif 000003
【図２】
2018124691.tif 000004
【図３】
2018124691.tif 000005
【図４】
2018124691.tif 000006
【図５】
2018124691.tif 000007
【図６】
2018124691.tif 000008
【図７】
2018124691.tif 000009
【図８】
2018124691.tif 000010
【図９】
2018124691.tif 000011
【図１０】
2018124691.tif 000012
【図１１】
2018124691.tif 000013
【図１２】
2018124691.tif 000014
【図１３】
2018124691.tif 000015
【図１４】
2018124691.tif 000016